【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
撮像装置により画像を撮影する際に参照すべきシナリオデータを作成し、編集するシナリオ編集装置であって、
撮影内容ごとに識別番号が付与された第１のシナリオデータを記録媒体に記録する第１の記録手段と、
前記第１のシナリオデータを参照して撮影された撮影済み画像データと、当該撮影済み画像データに関連付けられた撮影内容ごとの識別番号とを前記記録媒体から読み出す読み出し手段と、
前記読み出し手段によって読み出された前記撮影済み画像データの中から再撮影を指示すべき画像データを選択する選択手段と、
前記選択手段により選択された画像データを再生しながら撮影指示の入力を受け付けることによって再撮影用の第２のシナリオデータを作成する作成手段と、
前記作成手段により作成された前記第２のシナリオデータを前記記録媒体に記録する第２の記録手段と、を有することを特徴とするシナリオ編集装置。
【請求項２】
前記第２のシナリオデータには、前記撮影済み画像データの撮影時に参照した前記第１のシナリオデータの識別番号と、同一の識別番号に対する複数回の撮影を識別するテイク番号が付与されることを特徴とする請求項１に記載のシナリオ編集装置。
【請求項３】
前記第２のシナリオデータには、前記同一の識別番号に対する複数回の撮影を識別するテイク番号を継承するための番号情報が付与されることを特徴とする請求項２に記載のシナリオ編集装置。
【請求項４】
前記第２のシナリオデータには、前記選択手段により選択された画像データの再撮影をする際に表示される撮影指示情報が含まれることを特徴とする請求項２に記載のシナリオ編集装置。
【請求項５】
前記第２のシナリオデータには、前記撮影済み画像データから生成された参考画像データが付与されることを特徴とする請求項４に記載のシナリオ編集装置。
【請求項６】
撮影内容ごとに識別番号が付与されたシナリオデータを参照して画像を撮影する撮像装置であって、
記録媒体の第１の記録領域に記録されたシナリオデータを参照して画像を撮影する画像撮影手段と、
前記シナリオデータを参照して撮影された撮影済み画像データと、当該撮影済み画像データに関連付けられた撮影内容ごとの識別番号とを記録媒体の第２の記録領域に記録する記録手段と、
前記撮影済み画像データによって表される画像と、前記シナリオデータによって表される情報とを表示する表示手段と、
前記シナリオデータが再撮影用のシナリオデータか判定する判定手段と、を有し、
前記表示手段は、前記判定手段による判定の結果が再撮影用のシナリオデータである場合、前記撮影済み画像データによって表される画像と共に、前記撮影済み画像データから生成された再撮影のための参考画像を表示することを特徴とする撮像装置。
【請求項７】
前記表示手段は、前記画像撮影手段により生成された画像データによって表される画像を表示する画像撮影モードを有し、
前記判定手段による判定の結果、前記シナリオデータが再撮影用のシナリオデータである場合、前記画像撮影モードの表示を前記参考画像の表示に切り替え、
前記参考画像の表示が終了した後、前記画像撮影モードの表示に戻すことを特徴とする請求項６に記載の撮像装置。
【請求項８】
前記表示手段は、前記画像撮影手段により生成された画像データによって表される画像を表示する画像撮影モードを有し、
前記判定手段による判定の結果、前記シナリオデータが再撮影用のシナリオデータである場合、前記画像撮影モードの表示に重畳して前記参考画像を表示することを特徴とする請求項６に記載の撮像装置。
【請求項９】
前記表示手段は、前記記録媒体に記録されたシナリオデータを一覧表示するシナリオ一覧モードを有し、
前記判定手段による判定の結果、前記シナリオデータが再撮影用のシナリオデータである場合、前記シナリオ一覧モードの表示を前記参考画像の表示に切り替え、
前記参考画像の表示が終了した後、前記シナリオ一覧モードの表示に戻すことを特徴とする請求項６に記載の撮像装置。
【請求項１０】
前記表示手段は、前記画像撮影手段により生成された画像データによって表される画像を表示する画像撮影モードと、前記記録媒体に記録されたシナリオデータを一覧表示するシナリオ一覧モードとを有し、
前記判定手段による判定の結果、前記シナリオデータが再撮影用のシナリオデータである場合、前記シナリオ一覧モードの表示を前記参考画像の表示に切り替え、
前記参考画像の表示が終了した後、前記画像撮影モードの表示に切り替えることを特徴とする請求項６に記載の撮像装置。
【請求項１１】
前記再撮影用のシナリオデータに、前記撮影済み画像データの再撮影に関する撮影指示情報が含まれている場合、当該撮影指示情報の表示の有無を切り替え可能であることを特徴とする請求項６ないし１０のいずれか１項に記載の撮像装置。
【請求項１２】
撮像装置により画像を撮影する際に参照すべきシナリオデータを作成し編集するシナリオ編集装置と、前記シナリオデータを参照して画像を撮影する撮像装置とからなるシナリオ編集システムであって、
前記シナリオ編集装置は、
撮影内容ごとに識別番号が付与された第１のシナリオデータを記録媒体に記録する第１の記録手段と、
前記第１のシナリオデータを参照して撮影された撮影済み画像データと、当該撮影済み画像データに関連付けられた撮影内容ごとの識別番号とを前記記録媒体から読み出す読み出し手段と、
前記読み出し手段によって読み出された前記撮影済み画像データの中から再撮影を指示すべき画像データを選択する選択手段と、
前記選択手段により選択された画像データを再生しながら撮影指示の入力を受け付けることによって再撮影用の第２のシナリオデータを作成する作成手段と、
前記作成手段により作成された前記第２のシナリオデータを前記記録媒体に記録する第２の記録手段と、を有し、
前記撮像装置は、
前記記録媒体に記録された前記第１又は第２のシナリオデータを参照して画像を撮影する撮像手段と、
前記撮像手段により撮影された画像データと、当該画像データに関連付けられた撮影内容ごとの識別番号とを前記記録媒体に記録する第３の記録手段と、
前記第２のシナリオデータを参照する際、当該第２のシナリオデータに含まれる撮影済み画像データを表示する表示手段と、を有することを特徴とするシナリオ編集システム。
【請求項１３】
撮像装置により画像を撮影する際に参照すべきシナリオデータを作成し、編集する装置におけるシナリオ編集方法であって、
第１の記録手段が、撮影内容ごとに識別番号が付与された第１のシナリオデータを記録媒体に記録する第１の記録工程と、
読み出し手段が、前記第１のシナリオデータを参照して撮影された撮影済み画像データと、当該撮影済み画像データに関連付けられた撮影内容ごとの識別番号とを前記記録媒体から読み出す読み出し工程と、
選択手段が、前記読み出し工程にて読み出された前記撮影済み画像データの中から再撮影を指示すべき画像データを選択する選択工程と、
作成手段が、前記選択工程により選択された画像データを再生しながら撮影指示の入力を受け付けることによって再撮影用の第２のシナリオデータを作成する作成工程と、
第２の記録手段が、前記作成工程により作成された前記第２のシナリオデータを前記記録媒体に記録する第２の記録工程と、を有することを特徴とするシナリオ編集方法。
【請求項１４】
撮影内容ごとに識別番号が付与されたシナリオデータを参照して画像を撮影する撮像装置の制御方法であって、
画像撮影手段が、記録媒体の第１の記録領域に記録されたシナリオデータを参照して画像を撮影する画像撮影工程と、
記録手段が、前記シナリオデータを参照して撮影された撮影済み画像データと、当該撮影済み画像データに関連付けられた撮影内容ごとの識別番号とを記録媒体の第２の記録領域に記録する記録工程と、
表示手段が、前記撮影済み画像データによって表される画像と、前記シナリオデータによって表される情報とを表示する表示工程と、
判定手段が、前記シナリオデータが再撮影用のシナリオデータか判定する判定工程と、を有し、
前記表示工程では、前記判定工程による判定の結果が再撮影用のシナリオデータである場合、前記撮影済み画像データによって表される画像と共に、前記撮影済み画像データから生成された再撮影のための参考画像を表示することを特徴とする撮像装置の制御方法。
【請求項１５】
コンピュータを、請求項１ないし５のいずれか１項に記載のシナリオ編集装置の各手段として機能させるためのプログラム。
【請求項１６】
コンピュータを、請求項６ないし１１のいずれか１項に記載の撮像装置の各手段として機能させるためのプログラム。
【請求項１７】
コンピュータを、請求項１ないし５のいずれか１項に記載のシナリオ編集装置の各手段として機能させるためのプログラムを記憶したコンピュータによる読み取りが可能な記憶媒体。
【請求項１８】
コンピュータを、請求項６ないし１１のいずれか１項に記載の撮像装置の各手段として機能させるためのプログラムを記憶したコンピュータによる読み取りが可能な記憶媒体。
【手続補正２】
【補正対象書類名】明細書
【補正対象項目名】０００８
【補正方法】変更
【補正の内容】
【０００８】
上記課題を解決し、目的を達成するために、本発明は、撮像装置により画像を撮影する際に参照すべきシナリオデータを作成し、編集するシナリオ編集装置であって、撮影内容ごとに識別番号が付与された第１のシナリオデータを記録媒体に記録する第１の記録手段と、前記第１のシナリオデータを参照して撮影された撮影済み画像データと、当該撮影済み画像データに関連付けられた撮影内容ごとの識別番号とを前記記録媒体から読み出す読み出し手段と、前記読み出し手段によって読み出された前記撮影済み画像データの中から再撮影を指示すべき画像データを選択する選択手段と、前記選択手段により選択された画像データを再生しながら撮影指示の入力を受け付けることによって再撮影用の第２のシナリオデータを作成する作成手段と、前記作成手段により作成された前記第２のシナリオデータを前記記録媒体に記録する第２の記録手段と、を有する。
【手続補正３】
【補正対象書類名】明細書
【補正対象項目名】０１６７
【補正方法】変更
【補正の内容】
【０１６７】
ステップＳ１７０５では、システムコントローラ３１７は、撮影済み画像データと、第２のシナリオデータである場合は参考画像データを再生表示する。
【手続補正４】
【補正対象書類名】明細書
【補正対象項目名】０１９４
【補正方法】変更
【補正の内容】
【０１９４】
一方、ユーザによる操作が、再撮影画像の選択に関する操作以外であった場合、ステップＳ１９０９に進む。
【手続補正５】
【補正対象書類名】明細書
【補正対象項目名】０１９５
【補正方法】変更
【補正の内容】
【０１９５】
ステップＳ１９０９では、ＣＰＵ１０１は、ユーザ操作に対応する処理を行った後、ステップＳ１９０３のユーザ操作の監視処理に戻る。ステップＳ１９０３〜Ｓ１９０９では、ＣＰＵ１０１はユーザ操作により再撮影画像を指定する指示があったことを検出するまで繰り返す。
【手続補正６】
【補正対象書類名】図面
【補正対象項目名】図１９
【補正方法】変更
【補正の内容】
【図１９】
2012195852.tif 000001